(57)【要約】【課題】  カメラの軽量コンパクト化を図ることができるレンズバリア駆動機構を提供する。【解決手段】  撮影用開口部９ａを有する前カバー９の開口部を開閉するレンズバリア８を駆動するレンズバリア駆動機構において、レンズバリア８は、ファインダ枠２内に配置される移動レンズを保持すると共にファインダ枠２に前後移動自在に設けられた移動レンズ保持枠３、４を前後移動させる円筒カム５と駆動連結され、円筒カム５の駆動力によって開閉駆動される。【選択図】  図１
2006349846.tif 000002
【特許請求の範囲】
【請求項１】
前面に撮影用開口部を備えたカバーと、該撮影用開口部を開閉するレンズバリアと、前記カバー内に配置されたファインダ枠と、該ファインダ枠内において光軸方向へ前後移動自在に支持されると共に移動レンズを保持する移動レンズ保持枠と、前記移動レンズ枠と係合し回転することにより該移動レンズ枠を前後移動させる円筒カムと、前記レンズバリアを開閉駆動するレンズバリア駆動機構と、を備えた光学機器において、
前記レンズバリア駆動機構は、前記円筒カムの回転駆動力によって前記レンズバリアを開閉駆動する構成を備えていることを特徴とするレンズバリア駆動機構。
【請求項２】
請求項１において、前記円筒カムは、ファインダ枠に取り付けられていることを特徴とするレンズバリア駆動機構。
【請求項３】
請求項１、又は２において、前記レンズバリアは、ばねの付勢力によって開または閉方向に付勢されていることを特徴とするレンズバリア駆動機構。
【請求項４】
請求項１、２、又は３において、前記円筒カムの駆動力は、鏡胴駆動機構から得られていることを特徴とするレンズバリア駆動機構。
【請求項５】
請求項１、２、３、又は４の何れか一項に記載のレンズバリア駆動機構を備えたことを特徴とするカメラ。
【請求項６】
請求項１、２、３、又は４の何れか一項に記載のレンズバリア駆動機構を備えたことを特徴とするデジタルカメラ。
【請求項７】
請求項１、２、３、又は４の何れか一項に記載のレンズバリア駆動機構を備えたことを特徴とする携帯型情報端末装置。
【請求項８】
請求項１、２、３、又は４の何れか一項に記載のレンズバリア駆動機構を備えたことを特徴とする画像入力装置。
【請求項９】
前面に撮影用開口部を備えたカバーと、該撮影用開口部を開閉するレンズバリアと、前記カバー内に配置されたファインダ枠と、該ファインダ枠内において光軸方向へ前後移動自在に支持されると共に移動レンズを保持する移動レンズ保持枠と、前記移動レンズ枠と係合し回転することにより該移動レンズ枠を前後移動させる円筒カムと、前記レンズバリアを開閉駆動するレンズバリア駆動機構と、を備えた光学機器において、
前記レンズバリア駆動機構は、前記レンズバリアと駆動連結されるレンズバリア駆動部材を備え、該レンズバリア駆動部材は、前記移動レンズ保持枠を前後移動させる円筒カムと駆動連結されていることを特徴とするレンズバリア駆動機構。
【請求項１０】
請求項９において、前記円筒カムは、ファインダ枠に取り付けられていることを特徴とするレンズバリア駆動機構。
【請求項１１】
請求項９、又は１０において、前記レンズバリアは、ばねの付勢力によって開または閉方向に付勢されていることを特徴とするレンズバリア駆動機構。
【請求項１２】
請求項９、１０、又は１１において、前記レンズバリア駆動部材の駆動力は、鏡胴駆動機構から得られていることを特徴とするレンズバリア駆動機構。
【請求項１３】
請求項９、１０、１１、又は１２の何れか一項に記載のレンズバリア駆動機構を備えたことを特徴とするカメラ。
【請求項１４】
請求項９、１０、１１、又は１２の何れか一項に記載のレンズバリア駆動機構を備えたことを特徴とするデジタルカメラ。
【請求項１５】
請求項９、１０、１１、又は１２の何れか一項に記載のレンズバリア駆動機構を備えたことを特徴とする携帯型情報端末装置。
【請求項１６】
請求項９、１０、１１、又は１２の何れか一項に記載のレンズバリア駆動機構を備えたことを特徴とする画像入力装置。
【発明の詳細な説明】
【技術分野】
【０００１】
本発明はカメラのレンズバリア駆動機構及びカメラに係り、特にファインダ枠を有するカメラの撮影レンズを保護するレンズバリアを駆動するカメラのレンズバリア駆動機構及びカメラに関するものである。
【背景技術】
【０００２】
カメラの撮影レンズの表面に指が触れたり、埃など異物が付着したりすると、撮影レンズの光学性能が一時的または永久的に劣化してしまう恐れがある。このような問題を解消するために、撮影レンズの前面にレンズバリアを設け、カメラの不使用時にはレンズバリアを閉じて撮影レンズの開口部を塞ぐことで外気、外力から遮断して撮影レンズを保護している。また、カメラ使用時にはレンズバリアを開いて撮影レンズの非撮影領域に退避させることにより、撮影が可能となるようにしている。
このようなレンズバリアの開閉を行うための装置は、その駆動源を他の部分と共用にすることによってカメラを軽量にすることができるため、カメラの機種ごとに様々な工夫が凝らされている。
例えば、特許文献１には、ズームモータの動力が遊星歯車機構を介してズームモータが連結されている歯車列とバリア開閉機構とに切り換えて伝達されるように構成されているカメラのバリア開閉機構が開示されている。
また、特許文献２には、焦点調整装置が撮影領域外に移動可能な構成とし、その焦点調整装置の撮影領域外への移動により、変倍駆動装置を変倍装置駆動モードからレンズバリアの開閉駆動モードに切り換え可能としたレンズバリアを備えたカメラが開示されている。
さらに、特許文献３には、固定筒の外周面に摺動自在に配設されたカム部材の駆動力によって、ファインダレンズの駆動とレンズバリアの駆動を同一の駆動源により行うカメラのレンズバリア駆動機構が開示されている。
【特許文献１】特許第３３７５５５１号
【特許文献２】特開平６−２２２０３号公報
【特許文献３】特許第３５０９５７８号
【発明の開示】
【発明が解決しようとする課題】
【０００３】
しかし特許文献１の場合、カメラのバリア開閉機構を追加して構造を複雑にすることは作動不良の原因になりやすいばかりか、カメラの小型化を阻害し、コスト的にも高価になる。
また特許文献２の場合、焦点調整装置を撮影領域外へ移動させると、その移動量を大きくしなければならず、光軸方向の寸法が大型になるだけでなく、撮影レンズの位置制御の精度は直接合焦精度に影響するので、合焦機構の駆動源の作動を高精度に制御しなければならないという問題があった。
また特許文献３の場合、固定筒の外周面にカム部材を摺動自在に配設すると、実質的に固定筒の半径が増大してしまい、カメラのサイズも大きくなってしまうという問題があった。
本発明は以上の点に鑑みてなされたものであり、カメラの軽量コンパクト化を図ることができるレンズバリア駆動機構及びそのレンズバリア駆動機構を搭載したカメラを提供することを目的とする。
【課題を解決するための手段】
【０００４】
上記目的を達成するために、請求項１記載の発明に係るレンズバリア駆動機構は、前面に撮影用開口部を備えたカバーと、該撮影用開口部を開閉するレンズバリアと、前記カバー内に配置されたファインダ枠と、該ファインダ枠内において光軸方向へ前後移動自在に支持されると共に移動レンズを保持する移動レンズ保持枠と、前記移動レンズ枠と係合し回転することにより該移動レンズ枠を前後移動させる円筒カムと、前記レンズバリアを開閉駆動するレンズバリア駆動機構と、を備えた光学機器において、前記レンズバリア駆動機構は、前記円筒カムの回転駆動力によって前記レンズバリアを開閉駆動する構成を備えていることを特徴とする。
請求項２の発明は、請求項１において、前記円筒カムは、ファインダ枠に取り付けられていることを特徴とする。
請求項３の発明は、請求項１、又は２において、前記レンズバリアは、ばねの付勢力によって開または閉方向に付勢されていることを特徴とする。
請求項４の発明は、請求項１、２、又は３において、前記円筒カムの駆動力は、鏡胴駆動機構から得られていることを特徴とする。
請求項５の発明に係るカメラは、請求項１、２、３、又は４の何れか一項に記載のレンズバリア駆動機構を備えたことを特徴とする。
【０００５】
請求項６の発明に係るデジタルカメラは、請求項１、２、３、又は４の何れか一項に記載のレンズバリア駆動機構を備えたことを特徴とする。
請求項７の発明に係る携帯型情報端末装置は、請求項１、２、３、又は４の何れか一項に記載のレンズバリア駆動機構を備えたことを特徴とする。
請求項８の発明に係る画像入力装置は、請求項１、２、３、又は４の何れか一項に記載のレンズバリア駆動機構を備えたことを特徴とする。
請求項９の発明に係るレンズバリア駆動機構は、前面に撮影用開口部を備えたカバーと、該撮影用開口部を開閉するレンズバリアと、前記カバー内に配置されたファインダ枠と、該ファインダ枠内において光軸方向へ前後移動自在に支持されると共に移動レンズを保持する移動レンズ保持枠と、前記移動レンズ枠と係合し回転することにより該移動レンズ枠を前後移動させる円筒カムと、前記レンズバリアを開閉駆動するレンズバリア駆動機構と、を備えた光学機器において、前記レンズバリア駆動機構は、前記レンズバリアと駆動連結されるレンズバリア駆動部材を備え、該レンズバリア駆動部材は、前記移動レンズ保持枠を前後移動させる円筒カムと駆動連結されていることを特徴とする。
請求項１０の発明は、請求項９において、前記円筒カムは、ファインダ枠に取り付けられていることを特徴とする。
請求項１１の発明は、請求項９、又は１０において、前記レンズバリアは、ばねの付勢力によって開または閉方向に付勢されていることを特徴とする。
請求項１２の発明は、請求項９、１０、又は１１において、前記レンズバリア駆動部材の駆動力は、鏡胴駆動機構から得られていることを特徴とする。
請求項１３の発明に係るカメラは、請求項９、１０、１１、又は１２の何れか一項に記載のレンズバリア駆動機構を備えたことを特徴とする。
請求項１４の発明に係るデジタルカメラは、請求項９、１０、１１、又は１２の何れか一項に記載のレンズバリア駆動機構を備えたことを特徴とする。
請求項１５の発明に係る携帯型情報端末装置は、請求項９、１０、１１、又は１２の何れか一項に記載のレンズバリア駆動機構を備えたことを特徴とする。
請求項１６の発明に係る画像入力装置は、請求項９、１０、１１、又は１２の何れか一項に記載のレンズバリア駆動機構を備えたことを特徴とする。
【発明の効果】
【０００６】
本発明によれば、撮影用開口部を有する前カバーの開口部を開閉するレンズバリアを駆動するレンズバリア駆動機構において、レンズバリアは、ファインダ枠内に配置される移動レンズを保持すると共にファインダ枠に前後移動自在に設けられた移動レンズ保持枠を前後移動させる円筒カムと駆動連結され、円筒カムの駆動力によって開閉駆動されることで、また、撮影用開口部を有する前カバーの開口部を開閉するレンズバリアを駆動するレンズバリア駆動機構において、レンズバリアと駆動連結されるレンズバリア駆動部材を備え、レンズバリア駆動部材は、ファインダ枠内に配置される移動レンズを保持すると共にファインダ枠に前後移動自在に設けられた移動レンズ保持枠を前後移動させる円筒カムとも駆動連結されていることで、カメラを軽量化、コンパクト化及びコストダウンすることができる。
【発明を実施するための最良の形態】
【０００７】
以下、本発明のレンズバリア駆動機構を図に基づいて説明する。なお、以下の発明、及び図面に記載された事項は全て一例に過ぎず、本発明の技術的範囲を限定するものではない。
図１は本発明の第１の実施形態に係るレンズバリア駆動機構を備えたカメラの分解斜視図である。図２は後述のファインダ枠２の斜視図であり、図３は後述の円筒カム５の展開図である。図４はレンズバリア８が閉じられた状態のカメラの正面図であり、図５はレンズバリア８が開かれた状態のカメラの正面図である。図６（ａ）（ｂ）及び（ｃ）はレンズバリアが閉じられた状態のカメラ内部の背面からの三面図であり、図７はレンズバリア８が開かれた状態のカメラ内部の背面図である。
カメラ本体（後カバー）１の内側上部には、ファインダ枠２が設けられており、このファインダ枠２の内部には、前後移動自在に移動レンズ保持枠３及び４(図２参照)が設けられている。また、ファインダ枠２の横には、移動レンズ保持枠３及び４を前後移動させるための円筒カム５が設けられている。
カメラ本体１（後カバー）１と、前カバー９は、カバーを構成している。
接眼部２ａの外側から使用者がファインダ枠２内をのぞき見ることにより、図示しないミラー等を経由して、各移動レンズ保持枠３、４によって保持された各レンズから入射した光像を見ることができる。各移動レンズ保持枠３、４が進退機構によって光軸方向へ進退することにより、被写体からの像を変倍することができる。
移動レンズ保持枠３及び４には、それぞれカムピン３ａ及び４ａ(図２参照)が突設されており、第１カムピン３ａは、円筒カム５に形成された直線溝５ｂ及び非線形形状溝５ｃから成る第１溝(図３参照)に嵌合され、第２カムピン４ａは、円筒カム５に形成された直線溝５ｄ及び非線形形状溝５ｅから成る第２溝(図３参照)に嵌合される。つまり、各ピン、及び各溝は、各レンズ枠の進退機構を構成している。
つまり、図１に示すようにファインダ枠２の側方には円筒状の円筒カム５が光軸と平行に、且つその軸を中心として回転自在に配置されており、その外周面に形成された第１及び第２の溝内に、第１及び第２カムピン３ａ、４ｂが夫々嵌合して各溝に沿って相対的に移動するように構成されている。
【０００８】
直線溝５ｂ及び５ｄは、光軸方向（図３の上下方向）と直交する方向に平行に形成されているため、円筒カム５が回転した時に、カムピン３ａ及び４ａが直線溝５ｂ及び５ｄの部分に沿って移動をしている場合には、移動レンズ保持枠３及び４は光軸方向に前後移動しない。
また、非線形形状溝５ｃ及び５ｅは、撮影倍率に対応した倍率の被写体像をファインダ枠２の接眼部２ａから観察できるように移動レンズ保持枠３及び４を光軸方向に前後移動させる。
したがって、カムピン３ａ及び４ａが夫々直線溝５ｂ及び５ｄに沿って移動している場合には、カムピン３ａ及び４ａは光軸方向に前後移動せずに、円筒カム５を自由に回転させることができ、カムピン３ａ及び４ａが、非線形形状溝５ｃ及び５ｅの間を移動している場合には、ファインダ枠２の接眼部２ａから撮影倍率に対応した倍率の被写体像が観察できる。
レンズバリア８は、開閉機構によって、図４に示した撮影用開口部９ａを閉止した位置から、図５に示した開放させた位置までの間を進退自在に構成されている。
円筒カム５の軸方向一端縁に沿って形成されたギア部５ａは、第１動力伝達部材６のギア部６ａと噛み合うように配置されている。第１動力伝達手段６は第２動力伝達手段７と連結され、第２動力伝達手段７はレンズバリア８と連結されている。動力伝達部材６及び７は、レンズバリア８が図４のように閉状態にある時には、第２動力伝達部材７の外周に設けた突起７ａが第１動力伝達部材６の外周に設けた切欠部６ｂに入り込むように配置されており、レンズバリア８が図５のように開状態にある時には、第２動力伝達部材７の突起７ａが第１動力伝達部材６の外周部６ｃに乗りあがるように配置されている。つまり、図６のように閉状態にある時には突起７ａが切欠部６ｂ内に嵌合しているが、第１動力伝達部材６が開方向に駆動され始めると、突起７ａは切欠部６ｂの内壁により押圧されて外周部６ｃ上に乗り上げて第２動力伝達部材７を開方向へ回動させるため、図７のようにレンズバリア８が開放する。
即ち、第２動力伝達部材７のギア部７ｂはレンズバリア８のギア部８ａと噛み合うように配置されている(図６、図７参照)。レンズバリア８は、ギア部８ａを中心として回動自在に支持されており、ギア部８ａが回転されることによって、前カバー９の撮影用開口部９ａを覆う閉状態と、前カバー９の撮影用開口部９ａを開放する開状態との間を相互に移動できるようになっている。また、レンズバリア８は、付勢部材（この例では、トーションバネ）１０により常に閉方向に付勢されている。
【０００９】
レンズバリア８が閉状態から開状態に移行する時は、円筒カム５が図示しない駆動部材により反時計回りに駆動され、第１動力伝達部材６は時計回りに駆動される。このとき、円筒カム５の直線溝５ｂ及び５ｄに沿った範囲内のレンズバリア開閉領域をカムピン３ａ及び４ａが移動している間に、第２動力伝達部材７の突起７ａは第１動力伝達部材６の外周部６ｃに乗りあがることで、第１動力伝達部材６の回転運動は、ある一定の回転角度の範囲のみ第２動力伝達部材７に伝わる。
さらに、第２動力伝達部材７のギア部７ｂはレンズバリア８のギア部８ａと噛み合うように配置されているため、前記ある一定の回転角度の範囲内で、レンズバリア８のギア部８ａに駆動力が伝達され、レンズバリア８はギア部８ａを中心に開方向に回転し、前カバー９の撮影用開口部９ａを開放できる。その後、カムピン３ａ及び４ａは、円筒カム５の非線形形状溝５ｃ及び５ｅからなるズーム領域を移動するので、ファインダ枠２の接眼部２ａからは撮影倍率に対応した倍率の被写体像が観察できる。
逆に、レンズバリア８が開状態から閉状態に移行する時は、円筒カム５が図示しない駆動部材により時計回り（閉方向）に駆動され、動力伝達部材６は反時計回りに駆動される。カムピン３ａ及び４ａが円筒カム５の前記ズーム領域を移動中に、第１動力伝達部材６の切欠部６ｂに、第２動力伝達部材７の突起７ａが入り込む。レンズバリア８は付勢部材１０により常に閉方向に付勢されているため、ギア部８ａ、７ｂを介し、突起７ａが切欠部６ｂに入り込むことで、ギア部８ａを中心に閉方向に回転し、前カバー９の撮影用開口部９ａを閉じることができる。
【００１０】
次に、本発明のレンズバリア駆動機構の第２の実施形態を図８に基づいて説明する。
図８は本発明の第２の実施形態に係るレンズバリア駆動機構を備えたカメラの分解斜視図である。第２の実施形態は、基本の機構、動作においては前記第１の実施形態とほぼ同じであるが、第２の実施形態は、円筒カム５を駆動させる駆動部材を持たない代わりに、図示しない駆動部材によりギア１１を回転駆動し、ギア１２を介して、動力伝達部材６を回転させる。また動力伝達部材６と円筒カム５を駆動連結する。ギア１１、１２、動力伝達部材６はレンズバリア駆動部材を構成する。
本実施形態において、ファインダの移動レンズ保持枠３、４を前後移動（光軸方向移動）させる円筒カム５とレンズバリア８とを動力伝達可能に連結し、レンズバリア８を前記円筒カム５の駆動力で開閉駆動させるようにすることで、レンズバリア８専用の駆動機構を必要とせず、カメラを軽量化、コンパクト化及びコストダウンすることができる。
また、円筒カム５をファインダ枠２に取り付けることで、円筒カム５とファインダ枠２を同一ユニットにし、構造をより簡易化することができる。
また、レンズバリア８を開方向または閉方向に弾性付勢することで、破壊防止のための機構を必要とせず、カメラを軽量化、コンパクト化及びコストダウンすることができる。
また、円筒カム５の駆動力を鏡筒ズーム機構から得るようにすると、レンズバリア駆動機構専用の駆動機構を必要とせず、カメラを軽量化、コンパクト化及びコストダウンすることができる。
また、円筒カム５でストロボポップアップをすると、ストロボポップアップ専用の駆動機構を必要としないため、カメラを軽量化、コンパクト化及びコストダウンすることができる。
また、各移動レンズと各移動レンズ保持枠３、４を一体化することで、部品点数を減らし、カメラを軽量化、コンパクト化及びコストダウンすることができる。
【図面の簡単な説明】
【００１１】
【図１】本発明の第１の実施形態に係るレンズバリア駆動機構を備えたカメラの分解斜視図である。
【図２】ファインダ枠の斜視図である。
【図３】円筒カムの展開図である。
【図４】レンズバリアが閉じられた状態のカメラの正面図である。
【図５】レンズバリアが開かれた状態のカメラの正面図である。
【図６】レンズバリアが閉じられた状態のカメラ内部の背面からの三面図である。
【図７】レンズバリアが開かれた状態のカメラ内部の背面図である。
【図８】本発明の第２の実施形態に係るレンズバリア駆動機構を備えたカメラの分解斜視図である。
【符号の説明】
【００１２】
２  ファインダ枠、３、４  移動レンズ保持枠、５  円筒カム、８  レンズバリア、９  前カバー、９ａ  撮影用開口部
【図１】
2006349846.tif 000003
【図２】
2006349846.tif 000004
【図３】
2006349846.tif 000005
【図４】
2006349846.tif 000006
【図５】
2006349846.tif 000007
【図６】
2006349846.tif 000008
【図７】
2006349846.tif 000009
【図８】
2006349846.tif 000010